(57)【要約】【課題】カーテンやシート、或いは衣服の見頃などのシート体同士を連結する連結部材に磁石や磁性体を用いるにあたって、それらを着脱自在にする。【解決手段】衣服１のボタンＢ１〜Ｂ６およびボタン孔Ｈ１〜Ｈ６に代えて、連結部材Ｐ１Ａ，Ｐ２Ａ，Ｐ３Ａ；Ｐ１Ｂ，Ｐ２Ｂ，Ｐ３Ｂを用いる。その連結部材Ｐ１Ａ，Ｐ２Ａ，Ｐ３Ａ；Ｐ１Ｂ，Ｐ２Ｂ，Ｐ３Ｂには、対を成す磁石Ｍ１Ａ〜Ｍ３Ａ，Ｍ１Ｂ〜Ｍ３Ｂを設け、それを支持体ＫＡ，ＫＢに搭載し、その支持体ＫＡ，ＫＢを、ヘアピンなどから成る挟持部材Ｃ１Ａ，Ｃ２Ａ；Ｃ１Ｂ，Ｃ２Ｂに搭載し、前見頃２Ａ，２Ｂに挟み込む。したがって、シート体を連結／切離ししたり、シート体の開閉部分を開閉したりできるようにするのに、シート体に後付けできる連結部材を実現することができる。【選択図】図２
2019198377.tif 000002
【特許請求の範囲】
【請求項１】
シート体同士を連結する連結部材において、
一対の挟持片を有し、前記シート体の端縁から差込まれ、該シート体を厚み方向に挟み込む一対の挟持部材と、
前記一対の挟持部材にそれぞれ搭載され、相互に磁気吸着することで前記のシート体同士を連結する一対の磁石または磁性体とを含むことを特徴とする連結部材。
【請求項２】
前記挟持部材は、前記シート体の端縁方向に間隔を明けて配置される２つを一対として、前記磁石または磁性体を搭載することを特徴とする請求項１記載の連結部材。
【請求項３】
前記２つの挟持部材の間隔分の幅を少なくとも有する板状の基材を備え、前記挟持部材はこの基材に取付けられ、前記磁石または磁性体はこの基材の一方の面に搭載されることを特徴とする請求項２記載の連結部材。
【請求項４】
前記挟持部材は、Ｕ字状またはＪ字状に屈曲された線条体から成り、その基材への取付け部には、前記線状体の前記基材からの突出長さを調整可能に保持する保持筒を有することを特徴とする請求項３記載の連結部材。
【請求項５】
前記Ｕ字状またはＪ字状の線条体には、その前記基材からの突出長さを表示する目盛りが付されていることを特徴とする請求項４記載の連結部材。
【請求項６】
前記挟持部材はヘアピンから成ることを特徴とする請求項３または４記載の連結部材。
【請求項７】
前記挟持部材は、Ｕ字状またはＪ字状に屈曲された帯状体から成り、その基材への取付け部には、前記帯状体の前記基材からの突出長さを調整可能に保持する保持筒を有することを特徴とする請求項３記載の連結部材。
【請求項８】
前記保持筒は、前記一対の挟持片の内の一方を出没自在に収容し、前記一方の挟持片の外方から圧接する板バネおよびその板バネの先端に設けられる係合突起をさらに備え、
前記一方の挟持片には、前記係合突起が嵌り込む係合凹所が、該一方の挟持片の長手方向に複数箇所形成されることを特徴とする請求項７記載の連結部材。
【請求項９】
前記一対の挟持片の少なくとも一方の内面には、長手方向に凹凸を繰返す噛合用の歯が形成されていることを特徴とする請求項１〜８の何れか１項に記載の連結部材。
【請求項１０】
前記一対の挟持部材は、前記シート体の端縁方向に同じ位置に取付けられ、相互に積重なるそれらの挟持部材において、前記シート体から露出する挟持片の部分には、それらの積重なった段差を吸収しつつ、前記露出した挟持片の部分間を連結する補強プレートが設けられることを特徴とする請求項７記載の連結部材。
【請求項１１】
前記シート体から露出する挟持片の部分には、磁石が搭載され、その磁石と、磁性体から成る前記補強プレートとが吸着することで、前記露出した挟持片の部分間を連結することを特徴とする請求項１０記載の連結部材。
【請求項１２】
前記シート体から露出する挟持片の部分には、２箇所の係合突起および係合凹所の一方が形成され、前記補強プレートにおいて、前記段差の両側には、前記挟持片の２箇所の係合突起および係合凹所の一方に対応する該係合突起または係合凹所の他方が形成されることを特徴とする請求項１１記載の連結部材。
【請求項１３】
前記補強プレートに代えて、前記露出した挟持片の部分には、装飾プレートが搭載されることを特徴とする請求項１０記載の連結部材。
【請求項１４】
前記シート体の端縁方向に間隔を明けて配置される２つの挟持部材において、前記シート体から露出する挟持片の部分には、渡り板を有し、
前記一対の挟持部材の渡り板間を連結する補強帯がさらに設けられることを特徴とする請求項４〜９の何れか１項に記載の連結部材。
【請求項１５】
前記請求項１〜１４の何れか１項に記載の連結部材を用い、前記挟持部材で挟み込まれる部分が、前見頃または後見頃であることを特徴とする衣服。
【請求項１６】
前記請求項１〜１４の何れか１項に記載の連結部材を用い、前記シート体は、遮蔽シートであることを特徴とするシート材。
【請求項１７】
前記磁石または磁性体が吸着した後、該磁石または磁性体を跨ぎ、２つのシート体間を連結する面ファスナーをさらに備えることを特徴とする請求項１６記載のシート材。
【発明の詳細な説明】
【技術分野】
【０００１】
本発明は、衣服の前見頃やカーテンなどのシート体を、一対の磁石やそれに吸引される磁性体を用いて連結するようにした連結部材ならびにそれを用いる衣服およびシート材に関する。
【背景技術】
【０００２】
シート体同士、たとえばカーテンやシート、或いは衣服の見頃を連結する連結部材において、前記磁石や磁性体を用いることで、たとえば前記カーテンの場合は開閉を、シートの場合は面積の拡大などのための繋ぎ合せを、１人で簡単に行うことができ、或いは前記衣服の場合はボタン代わりとなって手や指などの体の不自由な人が脱いだり着たりし易くすることができる。
【０００３】
特許文献１〜３では、障害者やお年寄りなど、特に手指の不自由な人が脱いだり着たりし易い衣服が提案されている。
【０００４】
特許文献１は、指先の不自由な人が脱ぎ着し易いように、衣服の前見頃の合せ面を磁気で吸着するようにしたマグネットボタン付きの衣服であり、吸着を強力にするためにネオジウム磁石を用い、吸着面以外をシールド材で覆っている。そして、薄い円盤状の磁石を、前見頃（前立て）に縫い合わせで袋状に形成された重ね合わせ部に収納している。
【０００５】
特許文献２も、指先の不自由な人が脱ぎ着し易いように、磁気を有する留具を備える衣服で、吸着面に、対応する凹凸が形成されることで、横滑りしないようになっている。
【０００６】
また、特許文献３では、電磁ボタンが提案されている。この従来技術によれば、使用者が上着を着て（袖を通して）、前見頃（シャツの場合は前立て）を合せて、前記電磁石を励磁することで係合を行わせている。これによって、片手の不自由な人や、幼児・お年寄り等の細かな作業ができない使用者にも、脱いだり着たりし易い衣服が提案されている。
【先行技術文献】
【特許文献】
【０００７】
【特許文献１】特開２００５−２８０２２号公報
【特許文献２】特開平１−２７０８０４号公報
【特許文献３】特開２００１−２１０号公報
【発明の概要】
【発明が解決しようとする課題】
【０００８】
上述の従来技術では、ボタンに代わり磁石を用いることで、衣服を脱ぎ着し易くしている。しかしながら、磁石が着いている専用の衣服で、使用者の好みの市販の衣服に、適用することができない。また、カーテンやビニルシートなど、磁石で連結して広いシート材に組合わせる場合にも、予めそれらに磁石を仕込んでおく必要がある。
【０００９】
本発明の目的は、磁石を使用してシート体同士を連結する連結部材を、後付けできるようにした連結部材ならびにそれを用いる衣服およびシート材を提供することである。
【課題を解決するための手段】
【００１０】
本発明の連結部材は、シート体同士を連結する連結部材において、一対の挟持片を有し、前記シート体の端縁から差込まれ、該シート体を厚み方向に挟み込む一対の挟持部材と、前記一対の挟持部材にそれぞれ搭載され、相互に磁気吸着することで前記のシート体同士を連結する一対の磁石または磁性体とを含むことを特徴とする。
【００１１】
上記の構成によれば、シート体同士、たとえばカーテンやシート、或いは衣服の見頃を連結する連結部材において、一対の磁石または磁性体を用いることで、たとえば前記カーテンの場合は開閉を、シートの場合は面積の拡大などのための繋ぎ合せを、１人で簡単に行うことができ、或いは前記衣服の場合はボタン代わりとなって手や指などの体の不自由な人が脱いだり着たりし易くすることができる。
【００１２】
そして、その磁石や磁性体を、たとえば前記カーテンやシートの場合の端部に、或いは衣服の場合の前見頃（前立て）に、縫付けたり、それらの部分を折返して袋にして収容したりするのではなく、本発明では、シート体を厚み方向に挟み込むことができる挟持部材を用い、その挟持部材に前記磁石や磁性体を搭載する。前記挟持部材は、一対の挟持片を有するヘアピンなどで実現され、その先端が前記シート体の端縁から差込まれ、該一対の挟持片の間に前記シート体を挟み込む。
【００１３】
したがって、シート体を連結／切離ししたり、シート体の開閉部分を開閉したりできるようにするのに、シート体に後付けできる連結部材を実現することができる。
【００１４】
また、本発明の連結部材では、前記挟持部材は、前記シート体の端縁方向に間隔を明けて配置される２つを一対として、前記磁石または磁性体を搭載することを特徴とする。
【００１５】
上記の構成によれば、磁石または磁性体が端縁方向に長くなり、吸着力を高めることができるとともに、２つの挟持部材と磁石または磁性体とがモジュール化されることになり、端部に取付けるべき磁石または磁性体の数を少なくし、さらに取付け位置（端縁からの出っ張りや没入具合、すなわち凹凸の）調整を行い易くすることができる。
【００１６】
さらにまた、本発明の連結部材では、前記２つの挟持部材の間隔分の幅を少なくとも有する板状の基材を備え、前記挟持部材はこの基材に取付けられ、前記磁石または磁性体はこの基材の一方の面に搭載されることを特徴とする。
【００１７】
上記の構成によれば、２つの挟持部材に磁石または磁性体を直接取付けるのではなく、間に基材を介在することで、組み立てを容易かつ高精度に行うことができるとともに、基材同士で反対側の磁石または磁性体の案内も行うことができ、吸着を円滑に行うことができる。
【００１８】
また、本発明の連結部材では、前記挟持部材は、Ｕ字状またはＪ字状に屈曲された線条体から成り、その基材への取付け部には、前記線状体の前記基材からの突出長さを調整可能に保持する保持筒を有することを特徴とする。
【００１９】
上記の構成によれば、基材、したがってそれに搭載される磁石または磁性体の前記端縁からの距離を、Ｕ字状またはＪ字状の線条体の基材からの突出長さで調整することができ、シート体の端部の重なり具合を調整することができる。
【００２０】
さらにまた、本発明の連結部材では、前記Ｕ字状またはＪ字状の線条体には、その前記基材からの突出長さを表示する目盛りが付されていることを特徴とする。
【００２１】
上記の構成によれば、目盛りによって、Ｕ字状またはＪ字状の線条体の基材からの突出（引出し）長さを容易に確認することができる。これによって、複数の線条体間で、基材の位置、すなわちシート体の端部の重なり具合を、再現性良く調整することができる。
【００２２】
また、本発明の連結部材では、前記挟持部材はヘアピンから成ることを特徴とする。
【００２３】
上記の構成によれば、前記シート体を厚み方向に挟み込む挟持部材を、簡単、かつ低コストに実現することができる。
【００２４】
さらにまた、本発明の連結部材では、前記挟持部材は、Ｕ字状またはＪ字状に屈曲された帯状体から成り、その基材への取付け部には、前記帯状体の前記基材からの突出長さを調整可能に保持する保持筒を有することを特徴とする。
【００２５】
上記の構成によれば、帯状体につき、挟持部材に、シート体を挟み込むために必要な挟圧力および強度を確保しつつ、挟持片の厚み、したがって該挟持部材ならびに連結部材の厚みを薄くすることができる。
【００２６】
また、本発明の連結部材では、前記保持筒は、前記一対の挟持片の内の一方を出没自在に収容し、前記一方の挟持片の外方から圧接する板バネおよびその板バネの先端に設けられる係合突起をさらに備え、前記一方の挟持片には、前記係合突起が嵌り込む係合凹所が、該一方の挟持片の長手方向に複数箇所形成されることを特徴とする。
【００２７】
上記の構成によれば、前記のＵ字状またはＪ字状に屈曲された帯状体の一方の（長い方の）挟持片を、基材に取付けた保持筒から、出没自在、つまり前記の突出長さ調整可能とするにあたって、その保持筒の内面に板バネを設け、その板バネの先端に設けた係合突起が、前記一方の挟持片の長手方向に複数箇所形成された係合凹所の１つに嵌り込むことで、その突出長さを保持できるようにする。
【００２８】
したがって、板バネを跳ね上げ、一方の挟持片の差込み加減を調整することで、前記の突出長さの調整を、容易に行うことができるとともに、そのような構造を簡単な構成で実現することができる。
【００２９】
さらにまた、本発明の連結部材では、前記一対の挟持片の少なくとも一方の内面には、長手方向に凹凸を繰返す噛合用の歯が形成されていることを特徴とする。
【００３０】
上記の構成によれば、前記のＵ字状やＪ字状などに屈曲形成される挟持部材の内面において、一対の挟持片の少なくとも一方に、長手方向にギザギザを形成しておく。
【００３１】
したがって、シート体から挟持部材を外れ難く、したがってシート体同士の連結を外れ難くすることができる。
【００３２】
また、本発明の連結部材では、前記一対の挟持部材は、前記シート体の端縁方向に同じ位置に取付けられ、相互に積重なるそれらの挟持部材において、前記シート体から露出する挟持片の部分には、それらの積重なった段差を吸収しつつ、前記露出した挟持片の部分間を連結する補強プレートが設けられることを特徴とする。
【００３３】
上記の構成によれば、一対の磁石または磁性体による連結に加えて、シート体に隠れていない挟持片の部分間を、補強プレートで連結する。
【００３４】
したがって、連結をより強固に、つまり外れ難くすることができる。
【００３５】
さらにまた、本発明の連結部材では、前記シート体から露出する挟持片の部分には、磁石が搭載され、その磁石と、磁性体から成る前記補強プレートとが吸着することで、前記露出した挟持片の部分間を連結することを特徴とする。
【００３６】
上記の構成によれば、シート体の連結を強固にする補強プレートを、容易に着脱することができる。
【００３７】
また、本発明の連結部材では、前記シート体から露出する挟持片の部分には、２箇所の係合突起および係合凹所の一方が形成され、前記補強プレートにおいて、前記段差の両側には、前記挟持片の２箇所の係合突起および係合凹所の一方に対応する該係合突起または係合凹所の他方が形成されることを特徴とする。
【００３８】
上記の構成によれば、前記段差の両側にそれぞれ２箇所の係合突起と係合凹所との嵌り合いの構造を設けることで、補強プレートの捻れやずれを抑え、積重なる挟持片を一直線に保持することができる。
【００３９】
さらにまた、本発明の連結部材では、前記補強プレートに代えて、前記露出した挟持片の部分には、装飾プレートが搭載されることを特徴とする。
【００４０】
上記の構成によれば、補強プレートを使用しないときには、前記Ｕ字状またはＪ字状の帯状体から成る挟持部材のシート体から露出する部分に、たとえば模造石などで装飾した装飾プレートを被せることで、意匠性を向上することができる。
【００４１】
また、本発明の連結部材では、前記シート体の端縁方向に間隔を明けて配置される２つの挟持部材において、前記シート体から露出する挟持片の部分には、渡り板を有し、前記一対の挟持部材の渡り板間を連結する補強帯がさらに設けられることを特徴とする。
【００４２】
上記の構成によれば、一対の磁石または磁性体による連結に加えて、シート体に隠れていない挟持片の部分間を、渡り板と補強帯とによって連結する。
【００４３】
したがって、連結をより強固に、つまり外れ難くすることができる。
【００４４】
さらにまた、本発明の衣服は、前記の連結部材を用い、前記挟持部材で挟み込まれる部分が、前見頃または後見頃であることを特徴とする。
【００４５】
上記の構成によれば、連結部材がボタン代わりとなって、手や指などの体の不自由な人が脱いだり着たりし易い衣服を実現することができる。
【００４６】
また、本発明のシート材は、前記の連結部材を用い、前記シート体は、遮蔽シートであることを特徴とする。
【００４７】
上記の構成によれば、人の侵入や視界を遮ったりする大面積のカーテンなどの遮蔽シートを、端部を磁気で吸着してゆくことで、１人で簡単に実現することができる。
【００４８】
さらにまた、本発明のシート材では、前記磁石または磁性体が吸着した後、該磁石または磁性体を跨ぎ、２つのシート体間を連結する面ファスナーをさらに備えることを特徴とする。
【００４９】
上記の構成によれば、カーテンの端部を磁石または磁性体によって仮止めした後、面ファスナーによって本止めを行うことになり、磁気吸着が外れて、不所望にカーテンが開いてしまうことを防止することができる。
【発明の効果】
【００５０】
本発明の連結部材ならびにそれを用いる衣服およびシート材は、以上のように、カーテンやシート、或いは衣服の見頃などのシート体同士を連結する連結部材に磁石や磁性体を用いるにあたって、それらを前記衣服やシート材に縫付けたりするのではなく、シート体を厚み方向に挟み込むことができるヘアピンなどの挟持部材を用い、その挟持部材に搭載する。
【００５１】
それゆえ、シート体を連結／切離ししたり、シート体の開閉部分を開閉したりできるようにするのに、シート体に後付けできる連結部材を実現することができる。
【図面の簡単な説明】
【００５２】
【図１】本発明の実施の一形態に係る連結部材を用いる衣服であるシャツの正面図であり、前見頃を閉じた状態を示す。
【図２】前記シャツの正面図であり、前見頃を開いた状態を示す。
【図３】前記衣服において、前見頃を止める本発明の実施の一形態に係る連結部材を拡大して示す分解斜視図である。
【図４】本発明の実施の他の形態に係る連結部材を用いる遮蔽シートの斜視図である。
【図５】前記遮蔽シートを連結する本発明の実施の他の形態に係る連結部材を拡大して示す分解斜視図である。
【図６】本発明の実施のさらに他の形態に係る連結部材を拡大して示す斜視図である。
【図７】図６の連結部材における挟持部材および保持筒を拡大して示す分解斜視図である。
【図８】本発明の実施のさらに他の形態に係る連結部材を拡大して示す斜視図である。
【発明を実施するための形態】
【００５３】
（実施の形態１）
図１および図２は本発明の実施の一形態に係る連結部材を用いる衣服１の正面図であり、図１は前見頃２を閉じた状態、図２は開いた状態を示す。本実施形態の衣服１は、前見頃２のような少なくとも一部を開閉することで着脱可能になる衣服を前提とする。本実施形態の衣服１は、シャツを模式的に示しており、上下方向に延びる前見頃２、つまり前立て２Ａ，２Ｂを開閉部分としているが、前記開閉部分は、ブラウスなどで後見頃であってもよい。図２は、開閉部分である前立て２Ａ，２Ｂ付近を裏返して（捲って）示している。
【００５４】
本実施形態の衣服１は、図面に向かって左側の前立て２Ａに、ボタンＢ１，Ｂ２，Ｂ３，Ｂ４，Ｂ５，Ｂ６（以下、総称する際は、参照符号Ｂで示す）が縫付けられ、右側の前立て２Ｂに、対応するボタン孔Ｈ１，Ｈ２，Ｈ３，Ｈ４，Ｈ５，Ｈ６（以下、総称する際は、参照符号Ｈで示す）が形成されている。図１は、ボタンＢを止めていない、つまり前立て２Ａ，２Ｂを重ね合わせただけの状態を示している。たとえば、前立て２Ａ，２Ｂの幅は、２０〜３０ｍｍである。本実施形態の衣服１は、後述するように、そのボタンＢの止め外しに不自由のある、たとえば手指を怪我した使用者が、容易に脱ぎ着できるように、ボタンＢを使用しないようにする衣服であるが、たとえば怪我の回復後には、通常のシャツと同様に着用できるように、本実施形態の衣服１では、ボタンＢおよびボタン孔Ｈを形成している。
【００５５】
注目すべきは、本実施形態では、ボタンＢおよびボタン孔Ｈの代わりに、対を成し、シート体である前立て２Ａ，２Ｂ同士を連結する連結部材Ｐ１Ａ，Ｐ２Ａ，Ｐ３Ａ；Ｐ１Ｂ，Ｐ２Ｂ，Ｐ３Ｂ（以下、総称する際は、参照符号ＰＡ, ＰＢで示す）を使用することである。
【００５６】
図３は、その連結部材ＰＡ, ＰＢを拡大して示す分解斜視図である。先ず、本実施形態の基本構成は、連結部材ＰＡ, ＰＢを、ヘアピンなどの挟持部材Ｃ１Ａ，Ｃ２Ａ；Ｃ１Ｂ，Ｃ２Ｂ（以下、総称する際は、参照符号ＣＡ, ＣＢで示す）に、相互に磁気吸着する磁石Ｍ１Ａ，Ｍ２Ａ，Ｍ３Ａ；Ｍ１Ｂ，Ｍ２Ｂ，Ｍ３Ｂ（以下、総称する際は、参照符号ＭＡ，ＭＢで示す）を搭載して構成することである。磁石ＭＡ，ＭＢは、一方が磁石で、他方がそれに吸着される鉄板などの磁性体であってもよい。本実施形態では、２本の挟持部材Ｃ１Ａ，Ｃ２Ａ；Ｃ１Ｂ，Ｃ２Ｂを、後に詳述する基材ＬＡ，ＬＢに取付け、その基材ＬＡ，ＬＢ上に磁石ＭＡ，ＭＢを搭載している。
【００５７】
挟持部材Ｃ１Ａ，Ｃ２Ａ；Ｃ１Ｂ，Ｃ２Ｂは、線条体をＵ字状やＪ字状（本実施形態では、ほぼＵ字状）に折返して成る前記ヘアピンなどを用いて構成され、それぞれ一対の挟持片Ｃ１Ａ１，Ｃ１Ａ２，Ｃ２Ａ１，Ｃ２Ａ２；Ｃ１Ｂ１，Ｃ１Ｂ２，Ｃ２Ｂ１，Ｃ２Ｂ２を有し、前立て２Ａ，２Ｂの端縁２Ｃ，２Ｄから差込まれ、該前立て２Ａ，２Ｂを厚み方向に挟み込む。本実施形態では、挟持部材ＣＡ，ＣＢは、挟持片Ｃ１Ａ１，Ｃ２Ａ１；Ｃ１Ｂ１，Ｃ２Ｂ１の部分に、後述するような丸棒となるような特別な加工を施しているが、基本的に、大きさの関係で、所謂、アメリカピンとスモールピンとの何れかを用いることができる。図３では、多様な実施形態を説明するために、２つの挟持部材Ｃ１Ａ，Ｃ２Ａ；Ｃ１Ｂ，Ｃ２Ｂの内、一方の挟持部材Ｃ１Ａ，Ｃ１Ｂにおける短い方のピンである挟持片Ｃ１Ａ２，Ｃ１Ｂ２は、ストレートピンであるが、他方の挟持部材Ｃ２Ａ，Ｃ２Ｂにおける短い方のピンである挟持片Ｃ２Ａ２，Ｃ２Ｂ２は、食い付きの良い波有りピンで示している。この他、挟持部材ＣＡ，ＣＢには、基材ＬＡ，ＬＢと合せて、たとえば文具のバインダークリップのチャック部分を用いることができる。
【００５８】
このように構成することで、先ず、シート体である衣服１の前立て２Ａ，２Ｂを開閉する連結部材ＰＡ, ＰＢにおいて、一対の磁石ＭＡ，ＭＢを用いることで、ボタンＢおよびボタン孔Ｈの代わりとなって、手や指などの体の不自由な人が脱いだり着たりし易くすることができる。しかも、本実施形態の連結部材ＰＡ, ＰＢでは、磁石ＭＡ，ＭＢを、前立て２Ａ，２Ｂに、縫付けたり、それらの部分を折返して袋にして収容したりするのではなく、該前立て２Ａ，２Ｂを厚み方向に挟み込むことができる挟持部材ＣＡ，ＣＢを用い、その挟持部材ＣＡ，ＣＢに前記磁石ＭＡ，ＭＢを搭載して、先端を前立て２Ａ，２Ｂの端縁２Ｃ，２Ｄから差込むことで、該磁石ＭＡ，ＭＢを前立て２Ａ，２Ｂに取付けるので、前立て２Ａ，２Ｂを開閉可能にするにあたって、後付けできる連結部材を実現することができる。
【００５９】
また、本実施形態の連結部材ＰＡ, ＰＢでは、前立て２Ａ，２Ｂの端縁２Ｃ，２Ｄ方向に間隔を明けて配置される２つの挟持部材ＣＡ１，ＣＡ２； ＣＢ１，ＣＢ２を一対として、磁石ＭＡ，ＭＢを搭載するので、磁石ＭＡ，ＭＢが端縁２Ｃ，２Ｄ方向に長くなり、吸着力を高めることができるとともに、２つの挟持部材ＣＡ１，ＣＡ２； ＣＢ１，ＣＢ２と磁石ＭＡ，ＭＢとがモジュール化されることになり、端部（端縁２Ｃ，２Ｄ）に取付けるべき磁石ＭＡ，ＭＢの数を少なくし、さらに取付け位置（端縁２Ｃ，２Ｄからの出っ張りや没入具合、すなわち凹凸）の調整を行い易くすることができる。
【００６０】
さらにまた、本実施形態の連結部材ＰＡ, ＰＢでは、図３で示すように２つの挟持部材ＣＡ１，ＣＡ２； ＣＢ１，ＣＢに磁石ＭＡ，ＭＢを直接取付けるのではなく、間に、該２つの挟持部材ＣＡ１，ＣＡ２； ＣＢ１，ＣＢ２の間隔分の幅を少なくとも有する板状の基材ＬＡ，ＬＢを介在している。したがって、組み立てを容易かつ高精度に行うことができるとともに、基材ＬＡ，ＬＢ同士で反対側の磁石ＭＢ，ＭＡの案内も行うことができ、吸着を円滑に行うことができる。
【００６１】
ここで、磁石ＭＡ，ＭＢは、それぞれ支持体ＫＡ，ＫＢに貼付けられ、該支持体ＫＡ，ＫＢが基材ＬＡ，ＬＢに搭載される。磁石Ｍ１Ａ，Ｍ２Ａ，Ｍ３Ａ；Ｍ１Ｂ，Ｍ２Ｂ，Ｍ３Ｂは、図１および図２の正面から見て、互いの吸着面が、左右から相互に嵌り合う凹凸形状に配置される。つまり、凹凸の頂部および底部に、所謂ゴム磁石（ボンド磁石）を分断したものを配置している。そのため、発泡樹脂などから成る支持体ＫＡ，ＫＢは、矩形の板状に形成されている状態から、前記凹凸形状が一致するように分割され、その分割面に前記磁石ＭＡ，ＭＢが貼付けられる。したがって、それらが嵌り合うことで、上下方向に延びる前見頃２における該上下方向のズレを無くすことができる。
【００６２】
また、磁石ＭＡ，ＭＢが同一面で吸着するように、凹凸の支持体ＫＡ，ＫＢも、同一面で突き合わせされる必要がある。そこで、支持体ＫＡは基材ＬＡに直接搭載されるものの、支持体ＫＢは、基材ＬＡの厚みに対応したスペーサＫＣを介して、基材ＬＢに搭載される。これによって、基材ＬＡは基材ＬＢ上で案内され、該基材ＬＢと支持体ＫＢとの間に嵌り込む。こうして、２枚の支持体ＫＡ，ＫＢが隙間無く重なり、磁石ＭＡ，ＭＢが密着し、外れ難く（脱げ難く）なるとともに、磁石ＭＡ，ＭＢの吸着の際、肌着などを挟み込まず、容易に吸着させる（着易くする）ことができる。
【００６３】
また、本実施形態の連結部材ＰＡ, ＰＢでは、図３で示すように、挟持部材ＣＡ，ＣＢは、Ｕ字状またはＪ字状に屈曲された線条体から成り、特に、基材ＬＡ，ＬＢに取付く挟持片Ｃ１Ａ１，Ｃ２Ａ１；Ｃ１Ｂ１，Ｃ２Ｂ１の部分は、丸棒となっている。そのため、その丸棒の挟持片Ｃ１Ａ１，Ｃ２Ａ１；Ｃ１Ｂ１，Ｃ２Ｂ１の基材ＬＡ，ＬＢからの突出長さを調整可能に保持する保持筒ＥＡ１，ＥＡ２；ＥＢ１，ＥＢ２（以下、総称する際は、参照符号Ｅで示す）を設けている。本実施形態では、保持筒Ｅは、入口側が、スリットＥＳによって周方向に均等に３つのピースＥＰ１，ＥＰ２，ＥＰ３に分割されており、これらの内径は、挟持片Ｃ１Ａ１，Ｃ２Ａ１；Ｃ１Ｂ１，Ｃ２Ｂ１の外径より若干大きく形成されており、出没、すなわち前記突出長さ調整可能となっている。一方、基材ＬＡ，ＬＢには、保持筒ＥＡ１，ＥＡ２；ＥＢ１，ＥＢ２のピースＥＰ１，ＥＰ２，ＥＰ３部分の外径より若干小さい内径の収納孔ＬＡ１，ＬＡ２；ＬＢ１，ＬＢ２が形成されている。
【００６４】
したがって、挟持片Ｃ１Ａ１，Ｃ２Ａ１；Ｃ１Ｂ１，Ｃ２Ｂ１の突出長さを調整した状態で、保持筒ＥＡ１，ＥＡ２；ＥＢ１，ＥＢ２を収納孔ＬＡ１，ＬＡ２；ＬＢ１，ＬＢ２に嵌め込むことで、スリットＥＳの間隔が狭くなり、分割されていた３つのピースＥＰ１，ＥＰ２，ＥＰ３が縮径し、挟持片Ｃ１Ａ１，Ｃ２Ａ１；Ｃ１Ｂ１，Ｃ２Ｂ１を外周からクランプして、固定する。つまり、保持筒ＥＡ１，ＥＡ２；ＥＢ１，ＥＢ２および収納孔ＬＡ１，ＬＡ２；ＬＢ１，ＬＢ２は、シャープペンシルと同様にして、挟持片Ｃ１Ａ１，Ｃ２Ａ１；Ｃ１Ｂ１，Ｃ２Ｂ１の突出長さ調整を実現する。これによって、前立て２Ａ，２Ｂの端縁２Ｃ，２Ｄの重なり具合を調整することができる。図１では、前立て２Ａ，２Ｂがぴったり重なり合っているが、前立て２Ａ，２Ｂの幅は衣服１によって異なり、前記の長さ調整可能な機構で、ぴったり重ね合せることができる。
【００６５】
なお、丸棒の挟持片Ｃ１Ａ１，Ｃ２Ａ１；Ｃ１Ｂ１，Ｃ２Ｂ１は、前記の特別な加工で、ヘアピンの幅を詰めて丸棒に形成されてもよいが、挟持部材ＣＡ，ＣＢが、丸棒の状態から、略半分が押し潰されて、挟持片Ｃ１Ａ２，Ｃ２Ａ２；Ｃ１Ｂ２，Ｃ２Ｂ２の部分が、帯状体に形成されてもよい。しかしながら、ヘアピンを用いることで、前立て２Ａ，２Ｂを厚み方向に挟み込む挟持部材ＣＡ，ＣＢを、簡単、かつ低コストに実現することができる。
【００６６】
またこの挟持片Ｃ１Ａ１，Ｃ２Ａ１；Ｃ１Ｂ１，Ｃ２Ｂ１の突出長さを調整可能にするにあたって、本実施形態の連結部材ＰＡ, ＰＢでは、図３で示すように、保持筒ＥＡ１，ＥＡ２；ＥＢ１，ＥＢ２に出没する挟持片Ｃ１Ａ１，Ｃ２Ａ１；Ｃ１Ｂ１，Ｃ２Ｂ１に、突出長さを表示する目盛りＣ１Ａ３，Ｃ２Ａ３；Ｃ１Ｂ３，Ｃ２Ｂ３が付されている。これによって、突出（引出し）長さを容易に確認することができ、複数の挟持部材ＣＡ１，ＣＡ２； ＣＢ１，ＣＢ２間で、基材ＬＡ，ＬＢの位置、すなわち前立て２Ａ，２Ｂの重なり具合を、再現性良く調整することができる。
（実施の形態２）
図４は、本発明の実施の他の形態に係る連結部材を用いる遮蔽シート３の斜視図である。本実施形態は、シート体である遮蔽シート３を、連結部材ＰＡ’, ＰＢ’を用いて、複数枚連結してするものである。遮蔽シート３としては、カーテンなど、人の侵入や視界を遮ったりするものである。本実施形態の連結部材ＰＡ’, ＰＢ’は、上述の連結部材ＰＡ, ＰＢに類似し、対応する部分には同一の参照符号を付して、その説明を省略する。
【００６７】
図５は、連結部材ＰＡ’, ＰＢ’の一部を拡大して示す斜視図である。注目すべきは、連結部材ＰＡ’, ＰＢ’では、支持体ＫＡ，ＫＢ上には、面ファスナーＦＡ，ＦＢが貼付けられており、磁石ＭＡ，ＭＢが吸着し、支持体ＫＡ，ＫＢ上が相互に嵌り合った状態で、それらの面ファスナーＦＡ，ＦＢ間は、中間の磁石Ｍ２Ａ，Ｍ２Ｂを跨ぐ面ファスナーＦＣで連結されることである。図５において、前述の基材ＬＡ，ＬＢや挟持部材ＣＡ，ＣＢなどの、図５において支持体ＫＡ，ＫＢより下方の構成については、図面の簡略化のために省略している。
【００６８】
このように構成することで、たとえばカーテンの場合は開閉を、シートの場合は面積の拡大などのための繋ぎ合せを、１人で簡単に行うことができる。しかも、予め連結部材ＰＡ’, ＰＢ’を遮蔽シート３の端部の規定位置に取付けておくことで、たとえば上下を一直線に合せたり等の位置合わせも容易である。また、その端部の一部が重なり合うことで、隙間が出来難く、遮光や遮蔽の効果を高めることができる。
【００６９】
また、面ファスナーＦＡ，ＦＢ；ＦＣを備えることで、遮蔽シート３の端部を磁石ＭＡ，ＭＢによって仮止めした後、この面ファスナーＦＡ，ＦＢ；ＦＣによって本止めを行うことができ、磁気吸着が外れて、不所望に遮蔽シート３が開いてしまうようなことを防止することができる。なお、衣服１においては、これらの面ファスナーＦＡ，ＦＢ；ＦＣは、前立て２Ａ，２Ｂの内側、つまり人体側となってしまうので、本実施形態は、カーテンなどの遮蔽シート３の連結に好適であり、出入り口としても使用することができる。
（実施の形態３）
図６は、本発明の実施のさらに他の形態に係る連結部材を拡大して示す斜視図である。本実施形態の連結部材ｐａ，ｐｂは、上述の衣服１と、遮蔽シート３との何れにも使用可能である。図６において、図３等の構成に類似し、対応する部分には同一の参照符号を付して、その説明を省略する。本実施形態の連結部材ｐａ，ｐｂも、相互に嵌り合う凹凸形状の支持体ＫＡ，ＫＢに支持された磁石Ｍ１Ａ，Ｍ２Ａ，Ｍ３Ａ；Ｍ１Ｂ，Ｍ２Ｂ，Ｍ３Ｂが吸着することで、該連結部材ｐａ，ｐｂ、すなわち衣服１や遮蔽シート３が、ずれなく、連結される。
【００７０】
注目すべきは、基材ｌａ，ｌｂおよび挟持部材ｃ１ａ，ｃ２ａ；ｃ１ｂ，ｃ２ｂ（以下、総称する際は、参照符号ｃで示す）が、図３の基材ＬＡ，ＬＢおよび挟持部材ＣＡ１，ＣＡ２； ＣＢ１，ＣＢと異なることである。なお、連結部材ＰＡ，ＰＢと同様に、基材ｌａには支持体ＫＡが直接搭載されるが、基材ｌａには滑り板ｋｄおよびスペーサｋｃを介して支持体ＫＢが搭載される。後述するように、滑り板ｋｄは挟持部材ｃ１ａ，ｃ２ａの案内であり、スペーサｋｃは、挟持部材ｃ１ａ，ｃ２ａおよび基材ｌａならびに挟み込んだ前見頃２Ａや遮蔽シートの厚みを挟み込むことが可能な厚みとされる。
【００７１】
図７は、挟持部材ｃおよびこの挟持部材ｃのために基材ｌａ，ｌｂに埋め込まれる保持筒ｅを拡大して示す分解斜視図である。先ず、本実施形態の連結部材ｐａ，ｐｂでは、挟持部材ｃは、Ｕ字状またはＪ字状に屈曲された帯状体から成り、その基材ｌａ，ｌｂへの取付け部には、挟持部材ｃの基材ｌａ，ｌｂからの突出長さを調整可能に保持する保持筒ｅを有することを特徴とする。したがって、挟持部材ｃは、帯状体につき、衣服１や遮蔽シート３などのシート体を挟み込むために必要な挟圧力および強度を確保しつつ、挟持片ｃｃ，ｃｄの厚み、したがって該挟持部材ｃならびに連結部材ｐａ，ｐｂの厚みを薄くすることができる。
【００７２】
本実施形態では、前記のＵ字状やＪ字状などに屈曲形成される挟持部材ｃの内面において、一対の挟持片ｃｃ，ｃｄの少なくとも一方（図７の例では衣服１や遮蔽シート３などのシート体の外側を押える挟持片ｃｃ）には、長手方向に凹凸を繰返す噛合用の歯（ギザギザ）ｃｅを形成している。したがって、シート体から挟持部材ｃを外れ難く、したがってシート体同士の連結を外れ難くすることができる。
【００７３】
以下に、図７を参照して、挟持部材ｃおよび保持筒ｅの構造について詳述する。上述のように、本実施形態の挟持部材ｃは、帯状体を屈曲させて成り、厚みを抑えることができる。そして、それを出没自在に所定突出長さで保持固定する保持筒ｅも、四角筒である。この保持筒ｅは、基材ｌａ，ｌｂに埋め込まれたり、基材ｌａ，ｌｂに形成された溝に嵌め込まれたりして、基材ｌａ，ｌｂに取付けられる。
【００７４】
前記のＵ字状やＪ字状の挟持部材ｃにおいて、一対の挟持片ｃｃ，ｃｄの内、保持筒ｅに嵌り込む側（図７では挟持片ｃｄ）には、軸直角断面が凹形のスライダーｃｆが取付けられている。このスライダーｃｆおよびそれに貼付けられた挟持片ｃｄは、四角筒状の保持筒ｅの内周面に沿い、ガタツキ無く、摺動（出没）可能になる。
【００７５】
保持筒ｅは、前記の四角筒である本体ｅａと、押圧部材ｅｂと、その取付け板ｅｃと、係合突起ｅｄとを備えて構成される。本体ｅａの４つの周面の内、スライダーｃｆの凹部に臨む面には、開口端側から一対の切れ目ｅｅが入れられ、所定長さの板バネｅｆに切出されている。板バネｅｆの基端側には、前記切れ目ｅｅから差込まれる取付け板ｅｃによって保持された押圧部材ｅｂが当接し、その弾発力で該板バネｅｆはスライダーｃｆ側に押し付けられる。これに対応して、板バネｅｆの裏側には、係合突起ｅｄが取付けられており、スライダーｃｆの凹所には、長手方向に複数の係合凹所ｃｇが形成されている。
【００７６】
したがって、板バネｅｆの先端部ｅｇを跳ね上げた状態で、保持筒ｅ内を、スライダーｃｆおよび挟持片ｃｄが摺動可能になり、板バネｅｆがスライダーｃｆ側に押し付けられ、係合突起ｅｄが何れかの係合凹所ｃｇに嵌り込んだ状態で、スライダーｃｆおよび挟持片ｃｄが保持筒ｅに保持固定されることになる。このように構成することで、板バネｅｆを跳ね上げ、一方の挟持片ｃｄの保持筒ｅへの差込み加減を調整することで、前記の突出長さの調整を、容易に行うことができるとともに、そのような構造を簡単な構成で実現することができる。
【００７７】
また、前述の連結部材ＰＡ，ＰＢでは、厚みを抑えるために、挟持部材Ｃ１Ｂ，Ｃ２Ｂの間に、挟持部材Ｃ１Ａ，Ｃ２Ａが入り込んでおり、つまり保持筒ＥＢ１，ＥＢ２および収納孔ＬＢ１，ＬＢ２の間に、保持筒ＥＡ１，ＥＡ２および収納孔ＬＡ１，ＬＡ２が入り込んでいる。これに対して、本実施形態の連結部材ｐａ，ｐｂでは、上述のように、挟持部材ｃの厚みが薄いので、挟持部材ｃ１ａ，ｃ２ａと、挟持部材ｃ１ｂ，ｃ２ｂとが、端縁２Ｃ，２Ｄ方向に同じ位置、つまり連結部材ｐａ，ｐｂが連結した状態で、それらの一部が相互に積重なる位置に配置されている。
【００７８】
そこで、これを利用して、側面方向から見て所定の段差を持って、かつ正面方向から見て一直線に配置される前記挟持部材ｃ１ａ，ｃ１ｂおよび挟持部材ｃ２ａ，ｃ２ｂにおいて、シート体から露出する挟持片ｃｃの部分には、それらの積重なった段差を吸収しつつ、前記露出した挟持片ｃｃの部分間を連結する補強プレートｊが設けられる。これによって、一対の磁石ＭＡ，ＭＢによる連結に加えて、連結をより強固に、つまり外れ難くすることができる。
【００７９】
さらに、その補強プレートｊの連結にあたって、前記シート体から露出する挟持片ｃｃの部分には、磁石ｎが搭載され、その磁石ｎと、磁性体から成る前記補強プレートｊとが吸着することで、該補強プレートｊを、容易に着脱することができるようになる。
【００８０】
さらにまた、本実施形態の連結部材ｐａ，ｐｂでは、前記シート体から露出する挟持片ｃｃの部分には、２箇所の係合突起および係合凹所の一方（図７の例では、磁石ｎに係合凹所ｎｈ）が形成され、補強プレートｊにおいて、前記段差の両側には、前記挟持片ｃｃの２箇所の係合突起および係合凹所の一方に対応する該係合突起または係合凹所の他方（係合突起ｊｐ）が形成される。これによって、前記段差の両側にそれぞれ２箇所の係合突起と係合凹所との嵌り合いの構造を設けることで、補強プレートｊの捻れやずれを抑え、積重なる挟持片（ｃ１ａ，ｃ１ｂおよびｃ２ａ，ｃ２ｂ）を一直線に保持することができる。
【００８１】
また、挟持片ｃｃに磁石ｎを搭載しているので、格別、補強プレートｊを用いなくても良い場合などでは、該補強プレートｊに代えて、装飾プレートｒが、前記磁石ｎに搭載されてもよい。装飾プレートｒは、前記磁石に吸着する磁性体から成る帯状の板ｒａに、模造石ｒｂなどで装飾が施されて構成されている。板ｒａの裏面には、前記係合突起または係合凹所の他方（係合突起ｒｐ）が形成される。これによって、意匠性を向上することができる。
（実施の形態３）
図８は、本発明の実施のさらに他の形態に係る連結部材を拡大して示す斜視図である。本実施形態の連結部材ｐａ’，ｐｂ’は、上述の連結部材ｐａ，ｐｂに類似し、対応する部分には同一の参照符号を付して、その説明を省略する。注目すべきは、この連結部材ｐａ’，ｐｂ’では、前記シート体の端縁方向に間隔を明けて配置される２つの挟持部材ｃ１ａ，ｃ２ａおよびｃ１ｂ，ｃ２ｂにおいて、前記シート体から露出する挟持片ｃｃの部分には、渡り板ｑを有し、その渡り板ｑ間を連結する補強帯ｆｃがさらに設けられていることである。図８の例では、補強帯ｆｃは面ファスナーであり、これに対応して、連結部材ｐａ’，ｐｂ’の渡り板ｑ上には、面ファスナーｆａ，ｆｂがそれぞれ貼付けられている。
【００８２】
このように構成することで、一対の磁石ＭＡ，ＭＢによる連結に加えて、シート体に隠れていない挟持片ｃｃの部分間を、渡り板ｑと補強帯ｆｃとの補強によって、連結をより強固に、つまり外れ難くすることができる。
【符号の説明】
【００８３】
１    衣服
２    前見頃
２Ａ，２Ｂ    前立て
２Ｃ，２Ｄ    端縁
３    遮蔽シート
Ｂ１，Ｂ２，Ｂ３，Ｂ４，Ｂ５，Ｂ６    ボタン
Ｃ１Ａ，Ｃ２Ａ；Ｃ１Ｂ，Ｃ２Ｂ    挟持部材
Ｃ１Ａ１，Ｃ１Ａ２，Ｃ２Ａ１，Ｃ２Ａ２    挟持片
Ｃ１Ｂ１，Ｃ１Ｂ２，Ｃ２Ｂ１，Ｃ２Ｂ２    挟持片
Ｃ１Ａ３，Ｃ２Ａ３；Ｃ１Ｂ３，Ｃ２Ｂ３    目盛り
ｃ１ａ，ｃ２ａ；ｃ１ｂ，ｃ２ｂ    挟持部材
ｃｃ，ｃｄ    挟持片
ｃｆ    スライダー
ｃｇ    係合凹所
ＥＡ１，ＥＡ２；ＥＢ１，ＥＢ２    保持筒
ＥＰ１，ＥＰ２，ＥＰ３    ピース
ＥＳ    スリット
ｅ    保持筒
ｅａ    本体
ｅｂ    押圧部材
ｅｃ    取付け板
ｅｄ    係合突起
ｅｆ    板バネ
ＦＡ，ＦＢ；ＦＣ    面ファスナー
ｆａ，ｆｂ    面ファスナー
ｆｃ    補強帯
Ｈ１，Ｈ２，Ｈ３，Ｈ４，Ｈ５，Ｈ６    ボタン孔
ｊ    補強プレート
ＫＡ，ＫＢ    支持体
ＫＣ    スペーサ
ｋｃ    スペーサ
ｋｄ    滑り板
ＬＡ，ＬＢ    基材
ｌａ，ｌｂ    基材
ＬＡ１，ＬＡ２；ＬＢ１，ＬＢ２    収納孔
Ｍ１Ａ，Ｍ２Ａ，Ｍ３Ａ；Ｍ１Ｂ，Ｍ２Ｂ，Ｍ３Ｂ    磁石
ｎ    磁石
Ｐ１Ａ，Ｐ２Ａ，Ｐ３Ａ；ＰＡ，ＰＡ’    連結部材
Ｐ１Ｂ，Ｐ２Ｂ，Ｐ３Ｂ；ＰＢ, ＰＢ’    連結部材
ｐａ，ｐｂ；ｐａ’，ｐｂ’    連結部材
ｒ    装飾プレート
ｒｂ    模造石
ｑ    渡り板
【図１】
2019198377.tif 000003
【図２】
2019198377.tif 000004
【図３】
2019198377.tif 000005
【図４】
2019198377.tif 000006
【図５】
2019198377.tif 000007
【図６】
2019198377.tif 000008
【図７】
2019198377.tif 000009
【図８】
2019198377.tif 000010